(57)【要約】【課題】従来、動画疑似輪郭を低減するディスプレイ装置は、例えば、メインパスからサブパスへの切り替えを適切に行えずに画質が低下することがあった。【解決手段】第１の画像信号を生成するメインパス１１と、第２の画像信号を生成するサブパス１２と、該第１および第２の画像信号を切り替えて出力するスイッチ回路１３と、動き領域を検出する動き領域検出回路１４３と、該動き領域検出回路の出力に従って第１の動き信号を出力する第１の判定回路１４４と、前記メインパスで特定の階調の画素を検出してレベル信号を出力するレベル検出回路１４５と、前記第１の動き信号および前記レベル信号を受け取って、該レベル信号に応じて第２の動き信号を出力する動き検出補正回路１４７と、前記第２の動き信号および前記レベル信号を受け取って、前記スイッチ回路に対して切り替え制御信号を出力する第２の判定回路１４６とを備えるように構成する。【選択図】      図９
2005024717.tif 000002
【特許請求の範囲】
【請求項１】
発光時間長によって輝度表現を行うと共に、サブフィールド法を用いて階調表示を行うディスプレイ装置であって、
入力画像信号よりも階調数が少ない第１の画像信号を生成するメインパスと、
前記第１の画像信号よりも階調数が少ない第２の画像信号を生成するサブパスと、
前記メインパスで生成された第１の画像信号と前記サブパスで生成された第２の画像信号とを切り替えて出力するスイッチ回路と、
前記入力画像信号或いはそれを加工した信号から動き領域を検出する動き領域検出回路と、
前記動き領域検出回路の出力に従って第１の動き信号を出力する第１の判定回路と、
前記メインパスで特定の階調の画素を検出してレベル信号を出力するレベル検出回路と、
前記第１の動き信号および前記レベル信号を受け取って、該レベル信号に応じて第２の動き信号を出力する動き検出補正回路と、
前記第２の動き信号および前記レベル信号を受け取って、前記スイッチ回路に対して切り替え制御信号を出力する第２の判定回路とを備えることを特徴とするディスプレイ装置。
【請求項２】
請求項１に記載のディスプレイ装置において、前記動き検出補正回路は、前記レベル検出回路からの前記レベル信号が動画疑似輪郭の発生する階調を示すときは、前記第１の判定回路からの第１の動き信号をそのまま前記第２の判定回路に出力することを特徴とするディスプレイ装置。
【請求項３】
請求項１に記載のディスプレイ装置において、さらに、前記入力画像信号或いはそれを加工した信号からエッジを検出するエッジ検出回路を備え、前記第１の判定回路は、前記動き領域検出回路の出力信号と共に該エッジ検出回路の出力信号も受け取って、前記動き信号を出力することを特徴とするディスプレイ装置。
【請求項４】
発光時間長によって輝度表現を行うと共に、サブフィールド法を用いて階調表示を行うディスプレイ装置であって、
入力画像信号よりも階調数が少ない第１の画像信号を生成するメインパスと、
前記第１の画像信号よりも階調数が少ない第２の画像信号を生成するサブパスと、
前記メインパスで生成された第１の画像信号と前記サブパスで生成された第２の画像信号とを切り替えて出力するスイッチ回路と、
前記入力画像信号或いはそれを加工した信号から動き領域を検出する動き領域検出回路と、
前記動き領域検出回路の出力に従って第１の動き信号を出力する第１の判定回路と、
前記メインパスで特定の階調の画素を検出してレベル信号を出力するレベル検出回路と、
前記第１の動き信号および前記レベル信号を受け取って、該レベル信号に応じて第２の動き信号を出力する第２の判定回路と、
前記第２の動き信号および前記レベル信号を受け取って、前記スイッチ回路に対して切り替え制御信号を出力するレベル優先回路とを備えることを特徴とするディスプレイ装置。
【請求項５】
請求項４に記載のディスプレイ装置において、前記レベル優先回路は、前記レベル検出回路からの前記レベル信号が動画疑似輪郭の発生する階調を示すときは、前記第２の判定回路からの第２の動き信号をそのまま前記スイッチ回路に出力することを特徴とするディスプレイ装置。
【請求項６】
請求項４に記載のディスプレイ装置において、さらに、前記入力画像信号或いはそれを加工した信号からエッジを検出するエッジ検出回路を備え、前記第１の判定回路は、前記動き領域検出回路の出力信号と共に該エッジ検出回路の出力信号も受け取って、前記動き信号を出力することを特徴とするディスプレイ装置。
【請求項７】
発光時間長によって輝度表現を行うと共に、サブフィールド法を用いて階調表示を行うディスプレイ装置であって、
入力画像信号よりも階調数が少ない第１の画像信号を生成するメインパスと、
前記第１の画像信号よりも階調数が少ない第２の画像信号を生成するサブパスと、
前記メインパスで生成された第１の画像信号と前記サブパスで生成された第２の画像信号とを切り替えて出力するスイッチ回路と、
前記入力画像信号或いはそれを加工した信号から動き領域を検出する動き領域検出回路と、
前記動き領域検出回路の出力に従って第１の動き信号を出力する第１の判定回路と、
前記メインパスで特定の階調の画素を検出して所定の演算を行い、レベル信号を出力するレベル検出回路と、
前記第１の動き信号および前記レベル信号を受け取って、前記スイッチ回路に対して切り替え制御信号を出力する第２の判定回路とを備えることを特徴とするディスプレイ装置。
【請求項８】
請求項７に記載のディスプレイ装置において、前記レベル検出回路は、複数の動画疑似輪郭が発生する特定の階調に対して、前記メインパスからの前記第１の画像信号に該複数の特定の階調のいずれかを跨ぐ信号が含まれているかどうかを演算して前記レベル信号を出力することを特徴とするディスプレイ装置。
【請求項９】
請求項７に記載のディスプレイ装置において、さらに、前記入力画像信号或いはそれを加工した信号からエッジを検出するエッジ検出回路を備え、前記第１の判定回路は、前記動き領域検出回路の出力信号と共に該エッジ検出回路の出力信号も受け取って、前記動き信号を出力することを特徴とするディスプレイ装置。
【請求項１０】
入力画像信号よりも階調数が少ない第１の画像信号を生成するメインパスと、
前記第１の画像信号よりも階調数が少ない第２の画像信号を生成するサブパスと、
前記メインパスで生成された第１の画像信号と前記サブパスで生成された第２の画像信号とを切り替えて出力するスイッチ回路と、
前記入力画像信号或いはそれを加工した信号から画像の特徴を検出し、且つ、前記メインパスで特定の階調の画素を検出して前記スイッチ回路を制御する画像特徴判定部とを備え、発光時間長によって輝度表現を行うと共に、サブフィールド法を用いて階調表示を行うディスプレイの駆動方法であって、前記画像特徴判定部において、
前記入力画像信号或いはそれを加工した信号から動き領域を検出し、
該検出された動き領域に従って第１の動き信号を発生し、
前記メインパスで特定の階調の画素を検出してレベル信号を発生し、
該レベル信号に応じて前記第１の動き信号を補正して第２の動き信号を発生し、
該第２の動き信号および前記レベル信号に従って前記スイッチ回路を制御する切り替え制御信号を発生することを特徴とするディスプレイの駆動方法。
【請求項１１】
請求項１０に記載のディスプレイの駆動方法において、前記第２の動き信号は、前記レベル信号が動画疑似輪郭の発生する階調を示すときは、前記第１の動き信号と実質的に同じ信号であることを特徴とするディスプレイの駆動方法。
【請求項１２】
請求項１０に記載のディスプレイの駆動方法において、さらに、前記第１の動き信号は、前記入力画像信号或いはそれを加工した信号から検出された前記動き領域と共に、該入力画像信号或いはそれを加工した信号から検出されたエッジに従って発生されることを特徴とするディスプレイの駆動方法。
【請求項１３】
入力画像信号よりも階調数が少ない第１の画像信号を生成するメインパスと、
前記第１の画像信号よりも階調数が少ない第２の画像信号を生成するサブパスと、
前記メインパスで生成された第１の画像信号と前記サブパスで生成された第２の画像信号とを切り替えて出力するスイッチ回路と、
前記入力画像信号或いはそれを加工した信号から画像の特徴を検出し、且つ、前記メインパスで特定の階調の画素を検出して前記スイッチ回路を制御する画像特徴判定部とを備え、発光時間長によって輝度表現を行うと共に、サブフィールド法を用いて階調表示を行うディスプレイの駆動方法であって、前記画像特徴判定部において、
前記入力画像信号或いはそれを加工した信号から動き領域を検出し、
該検出された動き領域に従って第１の動き信号を発生し、
前記メインパスで特定の階調の画素を検出してレベル信号を発生し、
該レベル信号に応じて前記第１の動き信号から第２の動き信号を発生し、
該第２の動き信号および前記レベル信号に従って前記スイッチ回路を制御する切り替え制御信号を発生することを特徴とするディスプレイの駆動方法。
【請求項１４】
請求項１３に記載のディスプレイの駆動方法において、前記切り替え制御信号は、前記レベル信号が動画疑似輪郭の発生する階調を示すときは、前記第２の動き信号と実質的に同じ信号であることを特徴とするディスプレイの駆動方法。
【請求項１５】
請求項１３に記載のディスプレイの駆動方法において、さらに、前記第１の動き信号は、前記入力画像信号或いはそれを加工した信号から検出された前記動き領域と共に、該入力画像信号或いはそれを加工した信号から検出されたエッジに従って発生されることを特徴とするディスプレイの駆動方法。
【請求項１６】
入力画像信号よりも階調数が少ない第１の画像信号を生成するメインパスと、
前記第１の画像信号よりも階調数が少ない第２の画像信号を生成するサブパスと、
前記メインパスで生成された第１の画像信号と前記サブパスで生成された第２の画像信号とを切り替えて出力するスイッチ回路と、
前記入力画像信号或いはそれを加工した信号から画像の特徴を検出し、且つ、前記メインパスで特定の階調の画素を検出して前記スイッチ回路を制御する画像特徴判定部とを備え、発光時間長によって輝度表現を行うと共に、サブフィールド法を用いて階調表示を行うディスプレイの駆動方法であって、前記画像特徴判定部において、
前記入力画像信号或いはそれを加工した信号から動き領域を検出し、
該検出された動き領域に従って第１の動き信号を発生し、
前記メインパスで特定の階調の画素を検出して所定の演算を行い、レベル信号を発生し、
前記第１の動き信号および前記レベル信号に従って前記スイッチ回路を制御する切り替え制御信号を発生することを特徴とするディスプレイの駆動方法。
【請求項１７】
請求項１６に記載のディスプレイの駆動方法において、前記レベル信号の発生は、複数の動画疑似輪郭が発生する特定の階調に対して、前記メインパスからの前記第１の画像信号に該複数の特定の階調のいずれかを跨ぐ信号が含まれているかどうかを演算して行うことを特徴とするディスプレイの駆動方法。
【請求項１８】
請求項１６に記載のディスプレイの駆動方法において、さらに、前記第１の動き信号は、前記入力画像信号或いはそれを加工した信号から検出された前記動き領域と共に、該入力画像信号或いはそれを加工した信号から検出されたエッジに従って発生されることを特徴とするディスプレイの駆動方法。
【発明の詳細な説明】
【０００１】
【発明の属する技術分野】
本発明は、ディスプレイ装置およびディスプレイの駆動方法に関し、特に、プラズマディスプレイパネル（ＰＤＰ：Ｐｌａｓｍａ  Ｄｉｓｐｌａｙ  Ｐａｎｅｌ）を駆動するのに適したディスプレイ装置およびディスプレイの駆動方法に関する。
【０００２】
近年、表示装置の大型化に伴って薄型の表示装置が要求され、各種類の薄型の表示装置が提供されている。例えば、ディジタル信号のままで表示するマトリックスパネル、すなわち、ＰＤＰ等のガス放電パネルや、ＤＭＤ（Ｄｉｇｉｔａｌ  Ｍｉｃｒｏｍｉｒｒｏｒ  Ｄｅｖｉｃｅ）、ＥＬ表示素子、蛍光表示管、液晶表示素子等のマトリックスパネル等が提供されている。このような薄型の表示装置のうち、ガス放電パネルは、簡易なプロセスのため大画面化が容易であること、自発光タイプで表示品質が良いこと、並びに、応答速度が速いこと等の理由から大画面で直視型のＨＤＴＶ（高品位テレビ）用表示デバイスとして実用化に至っている。
【０００３】
プラズマディスプレイ装置は、各フィールド（フレーム）内に複数の維持放電パルス（サステインパルス）で構成される重み付けされた複数のサブフィールド（ＳＦ：発光ブロック）を設け、そのサブフィールドの組み合わせで中間調を表示している。このような、重み付けされた複数のサブフィールドの組み合わせで中間調を表示するディスプレイ装置においては、人間の目の残像効果等により、移動する物体の表面上に本来は存在しないはずの不自然な色の輪郭が発生する現象が生じる。この現象は、一般に、「動画疑似輪郭（動画偽輪郭或いは動画擬似輪郭）」と呼ばれ、特に、表示画像において人物が移動した場合、例えば、肌色である顔の輪郭部分に緑色や赤色の帯が生じて画質が著しく低下することになっている。そこで、動画疑似輪郭を有効に除去することのできるディスプレイ装置およびディスプレイの駆動方法の提供が強く要望されている。
【０００４】
【従来の技術】
従来、平面型の表示装置として面放電を行うプラズマディスプレイ装置が実用化され、画面上の全画素を表示データに応じて同時に発光させるようになっている。面放電を行うプラズマディスプレイ装置は、前面ガラス基板の内面に１対の電極が形成され、内部に希ガスが封入された構造となっている。電極間に電圧を印加すると、電極面上に形成された誘電体層および保護層の表面で面放電が起こり、紫外線が発生する。背面ガラス基板の内面には、３原色である赤色（Ｒ）、緑色（Ｇ）および青色（Ｂ）の蛍光体が塗布されており、紫外線によりこれらの蛍光体を励起発光させることによってカラー表示を行うようになっている。
【０００５】
図１はプラズマディスプレイ装置の一例を概略的に示すブロック図である。図１において、参照符号１は画像処理回路、２は点灯時刻制御回路、３はＰＤＰ駆動回路、そして、４はＰＤＰを示している。なお、図１では、便宜上、ＰＤＰ４がＰＤＰ駆動回路３内に図示されている。
【０００６】
図１に示されるように、プラズマディスプレイ装置は、Ｒ，Ｇ，Ｂの各色の画像信号を処理する画像処理回路１、画像処理回路１の出力信号に応じてＰＤＰ４で点灯する時刻を制御する点灯時刻制御回路２、点灯時刻制御回路２の出力に応じてＰＤＰ４を駆動するＰＤＰ駆動回路３を備えている。ＰＤＰ駆動回路３は、フィールドメモリ３１、メモリコントローラ３２、ＳＦ重みテーブル３３、ＳＵＳ数設定回路３４、コントローラ３５、スキャンドライバ３６、サステインドライバ３７およびアドレスドライバ３８を備える。ここで、ＳＦ重みテーブル３３は、各サブフィールドのＳＵＳ数の比（重み）を記憶しているメモリ装置であり、また、ＳＵＳ数設定回路３４は、ＳＦ重みテーブル３３に従って各ＳＦに発光させるＳＵＳ数を設定する回路である。
【０００７】
点灯時刻制御回路２は、画像処理回路１の出力信号を受け取り、どの階調をどの時刻のサブフィールドで点灯するかを示す被変換データに変換してＰＤＰ駆動回路３に供給する。フィールドメモリ３１は、メモリコントローラ３２の制御下で点灯時刻制御回路２からの被変換データの書き込みおよび読み出しを行う。ここで、点灯時刻制御回路２およびフィールドメモリ３１は、サブフィールド変換部を構成している。
【０００８】
アドレスドライバ３８は、フィールドメモリ３１から読み出されたデータに基づいてＰＤＰ４を駆動する。コントローラ３５は、ＳＵＳ数設定回路３４を介したＳＦ重みテーブル３３の出力を受け取り、スキャンドライバ３６およびサステインドライバ３７を制御してＰＤＰ４の駆動を制御する。ＰＤＰ４がスキャンドライバ３６およびアドレスドライバ３８で駆動されることにより、各サブフィールド内で発光する画素に対する壁電荷が形成され、また、サステインドライバ３７で駆動されることにより、維持放電（サステイン放電）が行われる。
【０００９】
図２は従来のプラズマディスプレイ装置における階調駆動シーケンスの一例を示す図である。
【００１０】
図２に示されるように、プラズマディスプレイ装置における階調駆動シーケンスは、例えば、１枚の画像を表示する１フィールドを複数のサブフィールド（例えば、ＳＦ１〜ＳＦ６）に分け、各サブフィールドにおけるサステイン期間（発光期間）を制御することにより画像の階調表示を行う。各サブフィールドは、そのサブフィールド期間内に発光させる全画素に対して壁電荷を形成させるアドレス期間と、輝度レベルを決定するサステイン期間とから構成される。そのため、サブフィールド数を増やすとその数分だけアドレス期間が必要となり、相対的に発光に割り当てられるサステイン期間が短くなり、画面の輝度が低下することになる。
【００１１】
ＰＤＰにおいて限られたサブフィールド数を用いて表現可能な階調数を稼ぐためには、図２に示されるように、ビットの重み付けに比例したサステイン期間でＰＤＰを階調駆動するのが一般的である。すなわち、図２に示す例では、１フィールド期間を６つのサブフィールド期間ＳＦ１〜ＳＦ６で構成し、各サブフィールドに対応した６ビットの画像信号（画素データ）により６４階調の表示を行う。サブフィールド期間ＳＦ１〜ＳＦ６内のサステイン期間は便宜上それぞれ点灯するものとしてハッチングで示され、時間（長さ）の比率はＳＦ１：ＳＦ２：ＳＦ３：ＳＦ４：ＳＦ５：ＳＦ６が１：２：４：８：１６：３２に設定されている。尚、１フィールド期間は約１６．７ｍｓである。
【００１２】
このような、階調駆動シーケンスを用いるＰＤＰで動画像を表示する場合、人間の目の残像効果等により、移動する物体の表面上に本来は存在しないはずの不自然な色の輪郭が発生する現象が生じる。この現象により発生する輪郭を、一般に、「動画疑似輪郭」と呼ぶが、この動画疑似輪郭が特に顕著になるのは、画面上の人物が動いた場合であり、例えば、肌色である顔の輪郭部分に緑色や赤色の帯が生じて画質が著しく低下することになっている。
【００１３】
従来、上述した動画疑似輪郭を低減して画質を向上させるものが提案されている（例えば、特許文献１および特許文献２参照）。
【００１４】
図３は従来のプラズマディスプレイ装置における画像処理回路の一例を示すブロック図であり、例えば、上述した図１に示すプラズマディスプレイ装置の画像処理回路１として適用される。
【００１５】
図３に示されるように、画像処理回路１は、概略、メインパス１１、サブパス１２、スイッチ回路１３、および、画像特徴判定部１４を備えている。入力画像信号は、メインパス１１、サブパス１２および画像特徴判定部１４の一部に並列に入力される。メインパス１１の出力は、スイッチ回路１３に供給されると共に、画像特徴判定部１４の一部に供給される。サブパス１２の出力は、スイッチ回路１３に供給される。スイッチ回路１３は、画像特徴判定部１４からのパス選択／切り替え信号に基づいて、メインパス１１またはサブパス１２からの画像信号を図１に示す点灯時刻制御回路２に供給する。
【００１６】
メインパス１１は、入力画像信号が供給されたゲイン制御回路１１１およびゲイン制御回路１１１の出力信号が供給された誤差拡散回路１１２を備える。また、サブパス１２は、入力画像信号が供給された歪み補正回路１２１、歪み補正回路１２１の出力信号が供給されたゲイン制御回路１２２、ゲイン制御回路１２２の出力信号が供給された誤差拡散回路１２３、および、誤差拡散回路１２３の出力信号が供給されたデータ整合回路１２４を備える。
【００１７】
画像特徴判定部１４は、入力画像信号が供給されたＲＧＢマトリクス回路１４１、ＲＧＢマトリクス回路１４１の出力信号が供給されたエッジ検出回路１４２および動き領域検出回路１４３、エッジ検出回路１４２および動き領域検出回路１４３の各出力信号が供給された第１の判定回路１４４、上記メインパスの出力信号が供給されたレベル検出回路１４５、並びに、第１の判定回路１４４およびレベル検出回路１４５の各出力信号が供給された第２の判定回路１４６を備えている。ここで、例えば、１フィールドが８個のサブフィールドから構成されており、各サブフィールド期間中のサステインパルス数の比率をＳＦ１：ＳＦ２：ＳＦ３：ＳＦ４：ＳＦ５：ＳＦ６：ＳＦ７：ＳＦ８＝１２：８：４：２：１：４：８：１２とすると、メインパス１１は、ＲＧＢ信号のそれぞれに対して６ビット出力で５２の実表示階調数を表現し、各色あたりの表示階調は、レベル０〜５１までの５２階調となっている。
【００１８】
図３に示す画像処理回路では、画像の動き検出およびエッジ検出をそれぞれＲＧＢの３系統で独立して行うのではなく、ＲＧＢマトリクス回路１４１において各ＲＧＢ信号から輝度信号を生成し、この生成された輝度信号により、画像のエッジ部分の検出をエッジ検出回路１４２で行うと共に、画像の動き領域の検出を動き領域検出回路１４３で行って、回路規模を削減するようになっている。なお、輝度信号Ｙは、例えばＹ＝０．３０Ｒ＋０．５９Ｇ＋０．１１Ｂに近似した生成式を用いて生成することができる。
【００１９】
ところで、メインパス１１を介してＰＤＰ４上に表示できる最高輝度レベルは、６ビット出力で５１であり、一方、入力画像信号の最高輝度レベルは、８ビット入力で２５５である。そのため、ゲイン制御回路１１１は、入力画像信号にゲイン係数５１×２８−６  ／２５５＝２０４／２５５を乗算する。このゲイン係数の乗算により、後段の誤差拡散回路１１２において、入力画像信号の全域にわたって誤差拡散処理を行うことができる。なお、ゲイン制御回路１１１は、一般的な乗算器、或いは、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等のメモリで構成することができる。
【００２０】
誤差拡散回路１１２は、ゲイン制御回路１１１を介して得られる画像信号に対して誤差拡散を行うことにより、疑似的に中間調を生成して階調数を増加する。なお、メインパス１１の表示階調数は５２であるため、誤差拡散回路１１２の出力ビット数は６となっている。
【００２１】
サブパス１２は、４ビット出力で９の実表示階調数を表現し、このとき、ＲＧＢの各色あたりの表示階調は、レベル０〜８までの９階調である。
【００２２】
サブパス１２においては、０〜８までの９ステップの階調を表現可能であるが、輝度量は０，１，３，７，１１，…といった具合に、均等には増加しない。そこで、誤差拡散後の表示特性と逆関数の補正を行い、全体としては線形の表示特性を得る必要があるため、歪み補正回路１２１では、このような逆関数特性をＲＯＭまたはＲＡＭテーブルに格納している。
【００２３】
図４はプラズマディスプレイ装置における階調駆動シーケンスの他の例を示す図であり、図５はメインパスにおける各輝度レベルの点灯サブフィールド期間の配置の一例を示す図であり、そして、図６はサブパスにおける各輝度レベルの点灯サブフィールド期間の配置の一例を示す図である。
【００２４】
上述したように、１フィールドを８個のサブフィールドＳＦ１〜ＳＦ８で構成し、サステインパルス数の比率（輝度レベルの比）をＳＦ１：ＳＦ２：ＳＦ３：ＳＦ４：ＳＦ５：ＳＦ６：ＳＦ７：ＳＦ８＝１２：８：４：２：１：４：８：１２とすると、階調駆動シーケンスは図４のようになる。
【００２５】
このとき、メインパス１１では、入力画像信号を５２の実表示階調レベルで表示可能であり、各輝度レベルの点灯サブフィールド期間の配置は、図５にハッチングで示すようになる。また、サブパス１２では、入力画像信号を９の実表示階調レベルで表示し、各輝度レベルの点灯サブフィールド期間の配置は図６に示すようになる。なお、入力画像信号は、サブパス１２における処理を行ったままでは非線形な表示特性となってしまうので、非線形特性を補正するための逆関数補正および誤差拡散を行うことにより、非線形表示特性を線形表示特性に補正する。
【００２６】
サブパス１２を介してＰＤＰ４上に表示できる最高輝度レベルは、４ビット出力で８であり、また、入力画像信号の最高輝度レベルは、８ビット入力で２５５である。そのため、ゲイン制御回路１２２は、入力画像信号にゲイン係数８×２８−４  ／２５５＝１２８／２５５を乗算する。このゲイン係数の乗算により、後段の誤差拡散回路１２３において、入力画像信号の全域にわたって誤差拡散処理を行うことができる。なお、ゲイン制御回路１２２は、一般的な乗算器、或いは、ＲＯＭやＲＡＭ等で構成することができる。
【００２７】
誤差拡散回路１２３は、ゲイン制御回路１２２を介して得られる画像信号に対して誤差拡散を行うことにより、疑似的に中間調を生成して階調数を増加する。ここで、サブパス１２の表示階調数は９であるため、誤差拡散回路１２３の出力ビット数は４である。なお、データ整合回路１２４は、サブパス１２における輝度レベルを、メインパス１１における輝度レベルに整合させるために設けられている。
【００２８】
スイッチ回路１３は、画像特徴判定部１４からのパス選択／切り替え信号に基づいて、入力画像信号に応じて使用するパスを切り替える。従って、入力画像信号を構成するＲＧＢ信号に対しては、Ｒ，Ｇ，Ｂの各色でそれぞれ独立してパスの切り替えが行われる。そのため、同一画素に関するＲＧＢ信号であっても、例えばＲ、信号はメインパス１１で処理され、Ｇ信号およびＢ信号が共にサブパス１２で処理されるといった場合もある。
【００２９】
次に、画像特徴判定部１４の動作について説明する。画像特徴判定部１４は、動画疑似輪郭の発生しやすい画像を検出し、そのような画像を構成する画素のデータをサブパス１２により処理するようにスイッチ回路１３にパスの切り替えを指示するパス選択／切り替え信号を生成出力する。
【００３０】
動画疑似輪郭は、上述のように、特定の輝度で発生し易く、階調は微小にしか変化していないにも関わらず、点灯サブフィールド期間が時間軸上で大きく変動するような輝度レベルで動画疑似輪郭が発生し易い。そこで、レベル検出回路１４５は、例えば、ＲＡＭやＲＯＭといったメモリを備え、メインパス１１の誤差拡散回路１１２の出力に基づいて、第１の判定回路１４４の出力するパス選択／切り替え信号によりパスをサブパス１２に切り替える感度を制御する信号を第２の判定回路１４６に出力する。具体的には、レベル検出回路１４５は、動画疑似輪郭の目立ちやすい輝度レベルにおいてはサブパス１２に切り替える感度を高める信号を出力し、画像がかなり動く部分を有しても、元々動画疑似輪郭が検知されにくい輝度レベルにおいては、サブパス１２に切り替える感度を低くする信号を第２の判定回路１４６に出力する。
【００３１】
ここで、レベル検出回路１４５がメインパス１１からの出力画像データを用いて輝度レベルを検出するのは、メインパス１１における点灯サブフィールド期間の配置によって動画疑似輪郭の目立ちやすい輝度レベルが略決定されるからである。画像中の高周波成分の多い部分、すなわち、エッジ部分では、微小に移動した領域でもフィールド間の差分が検出されるので、動き量が不必要に大きく検出されてしまう。そこで、エッジ検出回路１４２は、入力画像信号に基づいて、画像中のエッジ部分を検出して第１の判定回路１４４に供給する。これにより、第１の判定回路１４４は、差分をエッジ成分で除算して動き量、すなわち、動きの度合いを正規化する。この結果、エッジ部分の動き量が抑さえられ、第１の判定回路１４４は、エッジ部分がメインパス１１では処理されないようにパス選択／切り替え信号を生成出力する。
【００３２】
また、動画疑似輪郭は、階調が滑らかに或いは緩やかに変化する部分で顕著となるため、画像中高周波成分の多い部分では検知されにくい。このような特性も、パスの切り替えの判定に重要であるため、エッジ検出回路１４２は、入力画像信号に基づいて、第２の判定回路１４６の出力するパス選択／切り替え信号によりパスをサブパス１２に切り替える感度を制御する信号を第１の判定回路１４４に出力する。具体的には、階調変化が滑らかな低周波領域がサブパス１２により処理されやすいように、換言すると、エッジ部分がメインパス１１により処理されやすいように、パスをサブパス１２に切り替える感度が制御される。
【００３３】
動き領域検出回路１４３は、輝度信号から求めた１フィールド間の差分と２フィールド間の差分の最小値に基づいて、画像中の動きを含む領域を検出し、検出結果を第１の判定回路１４４に供給する。また、エッジ検出回路１４２は、輝度信号から水平方向のエッジ（横線）および垂直方向のエッジ（縦線）を算出し、これらのエッジを混合してエッジ量を求める。求められたエッジ量は、第１の判定回路１４４に供給される。従って、第１の判定回路１４４は、動き領域検出回路１４３およびエッジ検出回路１４２の出力情報に基づいて、動画疑似輪郭の発生しやすい画素を判定し、その判定結果を第２の判定回路１４５に供給する。
【００３４】
レベル検出回路１４５は、メインパス１１からのＲＧＢ信号の各々に基づいて輝度レベルを検出する。レベル検出回路１４５で検出された輝度レベルは、第２の判定回路１４６に供給される。従って、第２の判定回路１４６は、第１の判定回路１４４からの判定結果およびレベル検出回路１４５で検出された輝度レベルに基づいて、所定レベル以上となった画素のデータがサブパス１２で処理されるようにパスを切り替えるパス選択／切り替え信号を生成してスイッチ回路１３に供給する。レベル検出回路１４５および第２の判定回路１４６は、レベル判定部を構成する。
【００３５】
これにより、通常はある程度の階調数が確保されたメインパス１１により入力画像信号が処理され、動画疑似輪郭の発生しやすい画素のデータについてのみ入力画像信号をサブパス１２で処理するようにパスを自動的に切り替える。このため、入力画像信号は、通常はＳ／Ｎ比が非常に良好でＰＤＰの実表示階調数の多いメインパス１１により処理されてからＰＤＰ４上で表示され、動画疑似輪郭が発生する可能性の高い画像部分では多少Ｓ／Ｎ比が低下するものの動画疑似輪郭除去能力が非常に高いサブパス１２により処理されてからＰＤＰ４上で表示される。この場合、メインパス１１における点灯サブフィールド期間とサブパス１２における点灯サブフィールド期間とは、互いに近い関係にあるため、パスの切り替わり部分（境界）は殆ど目立たない。
【００３６】
図７は図３の画像処理回路におけるレベル検出回路の一例を説明するための図である。
【００３７】
前述したように、レベル検出回路１４５は、ＲＡＭやＲＯＭといったメモリを備え、図７に示されるような変換テーブルに従って、例えば、メインパス１１の画像信号に応じてレベル０〜３（ＬＶ＝０，１，２，３）のレベル信号ＬＶを出力する。ここで、レベル検出回路１４５から出力されるレベルが『３』となる（ＬＶ＝３）のは、動画疑似輪郭が強く発生する階調（動画疑似輪郭が強く発生する可能性のある階調）であり、例えば、重みの大きいサブフィールドが単独で点灯するような階調３２（ＳＦ６のみ点灯）、階調１６（ＳＦ５のみ点灯）、階調８（ＳＦ４のみ点灯）、および、それに準じる階調４８（ＳＦ６およびＳＦ５のみ点灯）であり、レベル検出回路１４５から出力されるレベルが『２』となる（ＬＶ＝２）のは、動画疑似輪郭がやや強く発生する階調であり、上記ＬＶ＝３が出力される次の階調、および、それに準じる階調である。さらに、レベル検出回路１４５から出力されるレベルが『１』となる（ＬＶ＝１）のは、動画疑似輪郭が弱く発生する階調であり、上記ＬＶ＝２が出力される次の階調、および、それに準じる階調である。すなわち、ＬＶ＝３が出力される階調があると、その次の階調およびその次の次の階調ではＬＶ＝２およびＬＶ＝１が出力される。なお、低階調部では、経験的にレベルＬＶの値を規定している。
【００３８】
そして、レベル検出回路１４５から出力されるレベルが『０』となる（ＬＶ＝０）のは、動画疑似輪郭が発生しない階調である。ここで、図７において、左側に丸印が付された欄は、サブパス１２で使用する階調を示している。なお、図７に示すレベル量は単なる一例であり、ＬＶ＝０〜３に限定されるものではなく、また、各階調に対するレベル量も様々に変化し得るものである。
【００３９】
図８は図３の画像処理回路における画像特徴判定部の一例を示すブロック図である。
【００４０】
図８に示されるように、エッジ検出回路１４２は、１Ｈ遅延回路１４２１，１４２２、遅延回路１４２３、減算回路１４２４，１４２５、絶対値回路１４２６，１４２７、最大値検出回路１４２８，１４２９、乗算回路１４７０，１４７１，１４７３、および、加算回路１４７２を備える。また、動き領域検出回路１４３は、１Ｖ遅延回路１４３１，１４３２、減算回路１４３３，１４３４、絶対値回路１４３５，１４３６、および、最小値検出回路１４３７を備える。ここで、１Ｈは入力画像信号の１水平走査期間を示し、また、１Ｖは入力画像信号の１垂直走査期間を示す。
【００４１】
第１の判定回路１４４は、除算回路１４４１を備え、孤立点除去回路１４４２、テンポラルフィルタ１４４３および２次元ローパスフィルタ（ＬＰＦ）１４４４が除算回路１４４１の出力側に接続されている。さらに、レベル検出部１４５は、感度ＲＡＭ１４５１、乗算回路１４５２、および、比較器１４５３を備える。
【００４２】
エッジ検出回路１４２において、減算回路１４２４は、現在の入力輝度信号Ｙと２Ｈ前の入力輝度信号Ｙとの差分を求め、また、絶対値回路１４２６は、減算回路１４２４からの差分の絶対値を求める。最大値検出回路１４２８は、絶対値回路１４２６で求められた絶対値のうち、例えば、最も大きい３つの絶対値を検出して乗算回路１４７０に出力する。乗算回路１４７０には、水平方向に延在する横エッジを検出する感度を決定する係数が入力されており、乗算回路１４７０の出力は加算回路１４７２に出力される。
【００４３】
遅延回路１４２３は、入力輝度信号Ｙを画素単位（Ｄ）で遅延し、また、減算回路１４２５は、入力画像信号の画素間の差分を求める。絶対値回路１４２７は、減算回路１４２５からの差分の絶対値を求め、また、最大値検出回路１４２９は、絶対値回路１４２７で求められた絶対値のうち、例えば、最も大きい３つの絶対値を検出して乗算回路１４７１に出力する。乗算回路１４７１には、垂直方向に延在する縦エッジを検出する感度を決定する係数が入力されており、乗算回路１４７１の出力は加算回路１４７２に出力される。加算回路１４７２の出力は乗算回路１４７３に供給され、全体としてのエッジ感度を決定する係数を乗算される。これにより、乗算回路１４７３は、エッジ量を示す信号を出力して除算回路１４４１に供給する。
【００４４】
動き領域検出回路１４３において、減算回路１４３３は、入力輝度信号Ｙの隣り合う２フィールド期間の差分を求めて絶対値回路１４３５に出力し、また、減算回路１４３４は、入力輝度信号Ｙの隣り合う２フレーム期間の差分を求めて絶対値回路１４３６に出力する。従って、絶対値回路１４３５は、現在のフィールド期間と１フィールド期間前の入力輝度信号Ｙの差分の絶対値を求めて最小値検出回路１４３７に出力する。
【００４５】
絶対値回路１４３６は、現在のフィールド期間と２フィールド期間前の入力輝度信号Ｙの差分の絶対値を求めて最小値検出回路１４３７に出力し、また、最小値検出回路１４３７は、絶対値回路１４３５，１４３６からの絶対値のうち、最小値を、動き量を示す信号として除算回路１４４１に供給する。ノンインターレイス方式を採用する場合、奇数番目のフィールド期間とその次の偶数番目のフィールド期間とでは、実際には画像中に動きがないにも関わらず差分が検出されてしまう可能性がある。そこで、差分は、現在のフィールド期間の入力輝度信号Ｙと１フィールド期間前および２フィールド期間前の入力輝度信号Ｙとのそれぞれについて求め、その絶対値の最小値から動き量を求めるようにしている。
【００４６】
なお、絶対値回路１４３５，１４３６から得られる差分の絶対値の単位は、例えば、レベル／フィールドであり、最小値回路１４３７から得られる動き量の単位は、例えば、ドット／フィールドである。ここで、動き量は、動き量（ドット／フィールド）＝｛（｜差分（最小値）（レベル／フィールド）｜｝÷｛｜傾き（レベル／ドット）｜｝で表される。
【００４７】
除算回路１４４１は、最小値検出回路１４３７から得られる動き量を乗算回路１４７３から得られるエッジ量で除算することにより、画像中の動きの度合い、すなわち、動き量を正規化する。除算回路１４４１からの正規化された動き量は、孤立点除去回路１４４２、テンポラルフィルタ１４４３および２次元ＬＰＦ１４４４を介してレベル検出部１４５の乗算回路１４５２に供給される。
【００４８】
孤立点除去回路１４４２は、ノイズ等の孤立した画像データを除去するために設けられている。例えば、画像中の所定範囲内において、周囲の画素が動きを示していないのに中心部の１画素だけが動いていれば、この１画素はノイズと見なすことができ、従って、このような場合には、孤立点除去回路１４４２で孤立点を除去する。具体的には、孤立点は、各ラインの画素の動き量をしきい値と比較し、しきい値以下の動き量の画素については動きがない画素とみなすことで除去可能である。
【００４９】
テンポラルフィルタ１４４３は、動きを示す画素のデータのレベルの立ち下がりを時間軸上緩やかに補正するために設けられている。例えば、画像中、特定の画素が動いていて急に止ると、画像データとしてはこの特定画素が止っているが、人間の目には残像効果等で直ちに止って見えない。そこで、テンポラルフィルタ１４４３は、動きを示す画素のデータのレベルの立ち下がりを時間軸上緩やかに補正することで、ＰＤＰ４上の画像の表示を人間の目の特性に合わせて違和感を少なくする。具体的には、テンポラルフィルタ１４４３は、孤立点除去回路１４４２から得られる動き量および後述するメモリから読み出した値のうち最大値を求め、最大値に１未満の係数を乗算してメモリに格納する。求められた最大値は、テンポラルフィルタ１４４３の出力として２次元ＬＰＦ１４４４に供給される。つまり、メモリに格納される動き量は、少しずつ減少するので、実際の動き量がゼロになってもテンポラルフィルタ１４４３から出力される動き量は緩やかに減少する。
【００５０】
２次元ＬＰＦ１４４４は、１つの画素のデータを、その周辺の画素のデータに基づいて補正することで、ある範囲内の画素のデータを平均化して、１つの画素だけがその周辺の画素と極端に異なるレベルとなることを防止する。つまり、２次元ＬＰＦ１４４４は、動き量を２次元空間的に補正する。このような２次元ＬＰＦ１４４４自体は周知である。
【００５１】
レベル検出部１４５は、感度ＲＡＭ１４５１と乗算回路１４５２と比較器１４５３とからなる検出回路部分を、ＲＧＢの各系に対して有し、従って、この検出回路部分が３つ設けられることになる。例えば、Ｒ系のメインパス１１からの出力はＲ系の検出回路部分内の感度ＲＡＭ１４５１に供給され、２次元ＬＰＦ１４４４からの動き量には乗算回路１４５２により感度ＲＡＭ１４５１から読み出された係数が乗算されて比較器１４５３に供給される。比較器１４５３は、乗算回路１４５２からの動き量としきい値とを比較して、乗算回路１４５２からの動き量がしきい値以上であれば、Ｒ系のパスをサブパス１２に切り替えるためのパス選択／切り替え信号を出力する。他のＧ系およびＢ系の検出回路部分も、同様にして対応するＧ系およびＢ系のメインパス１１からの独立した出力に基づいてＧ系およびＢ系のパスの切り替えを指示するパス選択／切り替え信号を出力する。
【００５２】
そのため、通常は、ＲＧＢの各系において、比較的階調数の多いメインパス１１により入力画像信号（ＲＧＢ信号）が処理されるが、動画疑似輪郭の発生しやすい画素のデータは、ＲＧＢの各系において、パスをサブパス１２に自動的に切り替えることにより、サブパス１２により処理される。このようにしてサブパス１２により処理された画素データが示す画像は、原理的には、メインパス１１により処理された画素データが示す画像と比較するとＳ／Ｎ比が多少劣化しているが、サブパス１２により処理された画素データが示す画像は動いている画像部分であるため、人間の目にはＳ／Ｎ比の劣化が殆ど気にならず、実用上は問題がない。この場合、メインパス１１およびサブパス１２の各部の演算パラメータは、画素データをサブパス１２で処理することによるＳ／Ｎ比の劣化が人間の目に目立たないように設定される。また、当然のことながら、メインパス１１およびサブパス１２の各部の演算パラメータは、ＰＤＰ４の駆動シーケンスやＰＤＰ４のサブフィールド構成が変更された場合等には、その都度最適パラメータに設定し直す必要がある。
【００５３】
【特許文献１】
特許第３３２２８０９号明細書（特開平１０−３１４５５号公報）
【特許文献２】
特開平１１−８５１０１号公報
【００５４】
【発明が解決しようとする課題】
上述したように、従来、動画疑似輪郭を低減するディスプレイの駆動技術が提案されている。具体的に、例えば、図３に示す従来のプラズマディスプレイ装置における画像処理回路（特許文献１参照）は、メインパスかサブパスかの判定レベル調整により、動きによって動画疑似輪郭の生じる領域をサブパスに切り替えることができるが、実際には、動画疑似輪郭が生じない領域もサブパスに切り替えてしまうことがあった。その原因としては、入力画像信号自体にノイズが含まれていて、動き領域検出回路が誤検出する領域についても、動画疑似輪郭として検出してしまうことが考えられる。このような場合、サブパスに切り替えられた部分では誤差拡散によるノイズ、つまり、階調が少なくなってノイズのように見えて画質が低下する。
【００５５】
また、特許文献２に記載された色検出回路では、ＲＧＢ信号から視覚特性上で動画疑似輪郭の目立ち易い色空間領域においてのみ動き領域を検出したときサブパスに切り替えていたが、色空間領域の肌色近傍以外にもそれに近いもの、例えば、砂漠の砂、土の色および壁などでは、サブパスに切り替わり画質劣化が生じていた。
【００５６】
本発明は、上述した従来のディスプレイ装置が有する課題に鑑み、大きなコスト増を招くことなく、動画疑似輪郭を有効に除去することのできるディスプレイ装置およびディスプレイの駆動方法の提供を目的とする。
【００５７】
【課題を解決するための手段】
本発明の第１の形態によれば、発光時間長によって輝度表現を行うと共に、サブフィールド法を用いて階調表示を行うディスプレイ装置であって、入力画像信号よりも階調数が少ない第１の画像信号を生成するメインパスと、前記第１の画像信号よりも階調数が少ない第２の画像信号を生成するサブパスと、前記メインパスで生成された第１の画像信号と前記サブパスで生成された第２の画像信号とを切り替えて出力するスイッチ回路と、前記入力画像信号或いはそれを加工した信号から動き領域を検出する動き領域検出回路と、前記動き領域検出回路の出力に従って第１の動き信号を出力する第１の判定回路と、前記メインパスで特定の階調の画素を検出してレベル信号を出力するレベル検出回路と、前記第１の動き信号および前記レベル信号を受け取って、該レベル信号に応じて第２の動き信号を出力する動き検出補正回路と、前記第２の動き信号および前記レベル信号を受け取って、前記スイッチ回路に対して切り替え制御信号を出力する第２の判定回路とを備えることを特徴とするディスプレイ装置が提供される。
【００５８】
また、本発明の第２の形態によれば、発光時間長によって輝度表現を行うと共に、サブフィールド法を用いて階調表示を行うディスプレイ装置であって、入力画像信号よりも階調数が少ない第１の画像信号を生成するメインパスと、前記第１の画像信号よりも階調数が少ない第２の画像信号を生成するサブパスと、前記メインパスで生成された第１の画像信号と前記サブパスで生成された第２の画像信号とを切り替えて出力するスイッチ回路と、前記入力画像信号或いはそれを加工した信号から動き領域を検出する動き領域検出回路と、前記動き領域検出回路の出力に従って第１の動き信号を出力する第１の判定回路と、前記メインパスで特定の階調の画素を検出してレベル信号を出力するレベル検出回路と、前記第１の動き信号および前記レベル信号を受け取って、該レベル信号に応じて第２の動き信号を出力する第２の判定回路と、前記第２の動き信号および前記レベル信号を受け取って、前記スイッチ回路に対して切り替え制御信号を出力するレベル優先回路とを備えることを特徴とするディスプレイ装置が提供される。
【００５９】
さらに、本発明の第３の形態によれば、発光時間長によって輝度表現を行うと共に、サブフィールド法を用いて階調表示を行うディスプレイ装置であって、入力画像信号よりも階調数が少ない第１の画像信号を生成するメインパスと、前記第１の画像信号よりも階調数が少ない第２の画像信号を生成するサブパスと、前記メインパスで生成された第１の画像信号と前記サブパスで生成された第２の画像信号とを切り替えて出力するスイッチ回路と、前記入力画像信号或いはそれを加工した信号から動き領域を検出する動き領域検出回路と、前記動き領域検出回路の出力に従って第１の動き信号を出力する第１の判定回路と、前記メインパスで特定の階調の画素を検出して所定の演算を行い、レベル信号を出力するレベル検出回路と、前記第１の動き信号および前記レベル信号を受け取って、前記スイッチ回路に対して切り替え制御信号を出力する第２の判定回路とを備えることを特徴とするディスプレイ装置が提供される。
【００６０】
本発明の第４の形態によれば、入力画像信号よりも階調数が少ない第１の画像信号を生成するメインパスと、前記第１の画像信号よりも階調数が少ない第２の画像信号を生成するサブパスと、前記メインパスで生成された第１の画像信号と前記サブパスで生成された第２の画像信号とを切り替えて出力するスイッチ回路と、前記入力画像信号或いはそれを加工した信号から画像の特徴を検出し、且つ、前記メインパスで特定の階調の画素を検出して前記スイッチ回路を制御する画像特徴判定部とを備え、発光時間長によって輝度表現を行うと共に、サブフィールド法を用いて階調表示を行うディスプレイの駆動方法であって、前記画像特徴判定部において、前記入力画像信号或いはそれを加工した信号から動き領域を検出し、該検出された動き領域に従って第１の動き信号を発生し、前記メインパスで特定の階調の画素を検出してレベル信号を発生し、該レベル信号に応じて前記第１の動き信号を補正して第２の動き信号を発生し、該第２の動き信号および前記レベル信号に従って前記スイッチ回路を制御する切り替え制御信号を発生することを特徴とするディスプレイの駆動方法が提供される。
【００６１】
また、本発明の第５の形態によれば、入力画像信号よりも階調数が少ない第１の画像信号を生成するメインパスと、前記第１の画像信号よりも階調数が少ない第２の画像信号を生成するサブパスと、前記メインパスで生成された第１の画像信号と前記サブパスで生成された第２の画像信号とを切り替えて出力するスイッチ回路と、前記入力画像信号或いはそれを加工した信号から画像の特徴を検出し、且つ、前記メインパスで特定の階調の画素を検出して前記スイッチ回路を制御する画像特徴判定部とを備え、発光時間長によって輝度表現を行うと共に、サブフィールド法を用いて階調表示を行うディスプレイの駆動方法であって、前記画像特徴判定部において、前記入力画像信号或いはそれを加工した信号から動き領域を検出し、該検出された動き領域に従って第１の動き信号を発生し、前記メインパスで特定の階調の画素を検出してレベル信号を発生し、該レベル信号に応じて前記第１の動き信号から第２の動き信号を発生し、該第２の動き信号および前記レベル信号に従って前記スイッチ回路を制御する切り替え制御信号を発生することを特徴とするディスプレイの駆動方法が提供される。
【００６２】
そして、本発明の第６の形態によれば、入力画像信号よりも階調数が少ない第１の画像信号を生成するメインパスと、前記第１の画像信号よりも階調数が少ない第２の画像信号を生成するサブパスと、前記メインパスで生成された第１の画像信号と前記サブパスで生成された第２の画像信号とを切り替えて出力するスイッチ回路と、前記入力画像信号或いはそれを加工した信号から画像の特徴を検出し、且つ、前記メインパスで特定の階調の画素を検出して前記スイッチ回路を制御する画像特徴判定部とを備え、発光時間長によって輝度表現を行うと共に、サブフィールド法を用いて階調表示を行うディスプレイの駆動方法であって、前記画像特徴判定部において、前記入力画像信号或いはそれを加工した信号から動き領域を検出し、該検出された動き領域に従って第１の動き信号を発生し、前記メインパスで特定の階調の画素を検出して所定の演算を行い、レベル信号を発生し、前記第１の動き信号および前記レベル信号に従って前記スイッチ回路を制御する切り替え制御信号を発生することを特徴とするディスプレイの駆動方法が提供される。
【００６３】
すなわち、本発明に係るプラズマディスプレイ装置の第１の形態は、新たに、動き検出補正回路を追加し、レベル検出回路の出力信号（レベル信号）に従って動画疑似輪郭の目立ち難い画素または動画疑似輪郭の発生し難い画素を検知した場合（レベル信号ＬＶ＝０）、動き検出補正回路が第１の判定回路の出力を考慮せずに信号ＭＶ’＝０を出力する。一方、レベル検出回路で動画疑似輪郭の目立ち易い画素または動画疑似輪郭の発生し易い画素を検知した場合（レベル信号ＬＶ＝１，２，３）、動き検出補正回路は、第１の判定回路の出力をそのまま出力する（ＭＶ’＝ＭＶ）。
【００６４】
第２の判定回路は、動き検出補正回路の出力結果とレベル検出回路の出力に基づいて判定を行い、メインパスかサブパスを切り替えるための切り替え制御信号を生成して切り替えスイッチに供給する。
【００６５】
このように、本発明の第１の形態に係るプラズマディスプレイ装置は、色検出回路よりもより簡単な回路構成で実現した動き検出補正回路により、動画疑似輪郭の出易い階調だけをサブパスに切り替えることができ画質向上が可能となる。なお、本発明の他の形態に係るプラズマディスプレイ装置およびプラズマディスプレイの駆動回路に関しても、以下の添付図面を参照した説明により明瞭に理解されるであろう。
【００６６】
【発明の実施の形態】
以下、本発明に係るディスプレイ装置およびディスプレイの駆動方法の実施例を、図面を参照して詳述する。
【００６７】
図９は本発明に係るプラズマディスプレイ装置の画像処理回路の一実施例を示すブロック図であり、例えば、前述した図１に示すプラズマディスプレイ装置の画像処理回路１に適用される。図９において、参照符号１は画像処理回路、１１はメインパス、１２はサブパス、１３はスイッチ回路、１４は画像特徴判定部を示している。さらに、参照符号１１１はゲイン制御回路、１１２は誤差拡散回路、１２１は歪み補正回路、１２２はゲイン制御回路、１２３は誤差拡散回路、そして、１２４はデータ整合回路を示している。また、参照符号１４１はＲＧＢマトリクス回路、１４２はエッジ検出回路、１４３は動き領域検出回路、１４４は第１の判定回路、１４５はレベル検出回路、１４６は第２の判定回路、そして、１４７は動き検出補正回路を示している。
【００６８】
図９と前述した図３との比較から明らかなように、図９に示す本実施例のプラズマディスプレイ装置の画像処理回路は、図３に示す画像処理回路１の画像特徴判定部１４において、第１の判定回路１４４と第２の判定回路１４６との間に、動き検出補正回路１４７を設けるようになっている。ここで、図９のプラズマディスプレイ装置の画像処理回路において、メインパス１１、サブパス１２、スイッチ回路１３、および、動き検出補正回路１４７を除く画像特徴判定部１４の構成は、前述した図３のものと実質的に同様な構成とされているのでその説明は省略する。また、図９に示す画像特徴判定部１４におけるＲＧＢマトリクス回路１４１、エッジ検出回路１４２、動き領域検出回路１４３、第１の判定回路１４４、レベル検出回路１４５および第２の判定回路１４６の構成は、図３〜図８を参照して説明したのと同様のものであり、その説明も省略する。なお、レベル検出回路１４５は、図１５を参照して後述する実施例を除き、図７を参照して説明したＲＡＭやＲＯＭより成る変換テーブルを備えている。
【００６９】
本実施例において、レベル検出回路１４５は、ＲＡＭやＲＯＭといったメモリを備え、図７に示されるような変換テーブルに従って、例えば、メインパス１１の画像信号に応じてレベル０〜３（ＬＶ＝０，１，２，３）のレベル信号ＬＶを出力する。なお、レベル検出回路１４５からＶＬ＝３が出力されるのは動画疑似輪郭が強く発生する階調（動画疑似輪郭が強く発生する可能性のある階調）であり、ＶＬ＝２が出力されるのは動画疑似輪郭がやや強く発生する階調であり、ＶＬ＝１が出力されるのは動画疑似輪郭が弱く発生する階調であり、そして、ＶＬ＝０が出力されるのは動画疑似輪郭が発生しない階調である。
【００７０】
図１０は図９の画像処理回路における動き検出補正回路の一例を概念的に示すブロック図である。
【００７１】
図１０に示されるように、動き検出補正回路１４７は、概念的にＡＮＤ回路１４７０として構成され、レベル検出回路１４５からの動画疑似輪郭の出易さを示すレベル信号ＬＶおよび第１の判定回路１４４からの動き量を示す動き信号ＭＶを入力とし、これらの信号ＬＶおよびＭＶの論理積をとって出力信号ＭＶ’を第２の判定回路１４６に供給するようになっている。
【００７２】
すなわち、動き検出補正回路１４７の出力信号ＭＶ’は、レベル信号ＬＶが『０』ならば常に『０』となり（ＬＶ＝０  ⇒  ＭＶ’＝０）、一方、信号ＬＶが『０』以外の時（『３』，『２』，『１』のとき）はそのままＭＶが出力（ＬＶ≠０  ⇒  ＭＶ’＝ＭＶ）される。
【００７３】
これにより、例えば、動き領域検出回路１４３が誤検出するような領域に対しても、レベル検出回路１４５からのレベル信号ＬＶが『０』であれば、メインパス１１が選択されて画質の低下を防止することができる。また、動き検出補正回路１４７は、簡単な回路で構成することができるため、大きなコスト増を招くことなく、動画疑似輪郭を有効に除去することができる。
【００７４】
図１１は図９の画像処理回路における動き検出補正回路の他の例を概念的に示すブロック図であり、図１２は図１１の動き検出補正回路の動作を説明するための図である。
【００７５】
上述した図１０に示す動き検出補正回路では、グラデーションが大きい（隣接する画素間での階調差が大きい）と、動画疑似輪郭の発生を有効に防止できない場合がある。具体的に、例えば、図１２において、階調２と階調８の画素ＧＳが隣接して表示される場合、これらの階調間に動画疑似輪郭の発生し易い階調（階調６はＬＶ＝３：動画疑似輪郭が強く発生する階調）が存在する。このような場合、上述した図１０の動き検出補正回路では、必ずメインパス１１を選択することになってしまう。
【００７６】
これに対して、図１１に示す動き検出補正回路では、この階調２と階調８の間にある動画疑似輪郭を検出するために、レベル信号ＬＶの『０』が始まってから次に再び『０』が始まるまでをひとつのグループＧＰとする。そして、水平方向の隣接画素のＧＰと比較したときにＧＰが同じときは、ＧＰ’は『０』が出力され、ＧＰが異なるときはＧＰ’は『１』となる。
【００７７】
すなわち、図１１に示されるように、動き検出補正回路１４７は、概念的に、遅延回路（１画素分に相当する時間Ｄだけ遅延するラッチ、或いは、フリップフロップ）１４７１、ＥＯＲ回路１４７２、ＯＲ回路１４７３およびＡＮＤ回路１４７４により構成され、第１の判定回路１４４からの動き量を示す信号ＭＶはＡＮＤ回路１４７４の一方の入力に供給され、ＡＮＤ回路１４７４の他方の入力にはＯＲ回路１４７３の出力ＬＶ’が供給されている。ＯＲ回路１４７３の一方の入力には、レベル検出回路１４５の出力信号ＬＶが供給され、ＯＲ回路１４７３の他方の入力には、ＥＯＲ回路１４７２の出力信号ＧＰ’が供給されている。ＥＯＲ回路１４７２の一方の入力には、信号ＧＰが供給され、ＥＯＲ回路１４７２の他方の入力には、信号ＧＰを遅延回路１４７１で遅延した信号が供給されている。
【００７８】
この図１１に示す動き検出補正回路１４７によれば、ＧＰ’が『０』つまり同一ＧＰだった時には、後段のＯＲ回路１４７３の出力ＬＶ’はレベル検出回路１４５の出力信号ＬＶがそのまま出力される。その結果、ＯＲ回路１４７３の後段（ＡＮＤ回路１４７４）は、上述した図１０と同じ回路構成になる。一方、ＧＰが異なる時には、ＧＰ’が『１』となるため、後段のＯＲ回路１４７３の出力ＬＶ’は『１』が出力され、その結果、この動き検出補正回路１４７の出力信号ＭＶ’は、第１の判定回路１４４の出力信号ＭＶがそのまま出力される。
【００７９】
これにより、例えば、図１２において、階調２と階調８の画素が隣接する場合、ＧＰ’は『１』となるため、第１の判定回路１４４の出力信号（動き信号）ＭＶが第２の判定回路１４６に出力される。これにより、なだらかなグレースケール表示での動画疑似輪郭の発生を防止することができ、より一層の画質向上が可能となる。
【００８０】
図１３は本発明に係るプラズマディスプレイ装置の画像処理回路の他の実施例を示すブロック図である。
【００８１】
図１３と図９との比較から明らかなように、本実施例では、図９における動き検出補正回路１４７を設ける代わりに、レベル検出回路１４５の出力と第２の判定回路１４６の出力とを受け取って、スイッチ回路１３を制御するレベル優先回路１４８を設けるようになっている。
【００８２】
図１４は図１３の画像処理回路におけるレベル優先回路の一例を概念的に示すブロック図である。
【００８３】
図１４に示されるように、レベル優先回路１４８は、概念的にＡＮＤ回路１４８０として構成され、レベル検出回路１４５からの動画疑似輪郭の出易さを示す信号ＬＶおよび第２の判定回路１４６からの動き量を示す信号ＭＶ’を入力とし、これらの信号ＬＶおよびＭＶ’の論理積をとって出力信号（切り替え制御信号）ＭＶ”をスイッチ回路１３に供給してメインパス１１の出力かサブパス１２の出力かを選択するようになっている。
【００８４】
すなわち、レベル優先回路１４８の出力信号ＭＶ”は、信号ＬＶが『０』ならば常に『０』となり（ＬＶ＝０  ⇒  ＭＶ”＝０）、一方、信号ＬＶが『０』以外の時はそのままＭＶ’となって（ＬＶ≠０  ⇒  ＭＶ”＝ＭＶ’）、レベル優先回路１４８からは動き量ＭＶ’がそのまま出力される。
【００８５】
図１５は本発明に係るプラズマディスプレイ装置における画像処理回路のさらに他の実施例としてのレベル検出回路を概略的に示すブロック図である。
【００８６】
前述したように、本実施例において、レベル検出回路１４５は、ＲＡＭやＲＯＭ等のメモリより成る変換テーブルは設けられておらず、図１５に示す演算回路により構成されている。なお、他の構成、すなわち、メインパス１１、サブパス１２、スイッチ回路１３、および、レベル検出回路１４５を除く画像特徴判定部１４の構成は、前述した図３のものと実質的に同様な構成とされている。
【００８７】
図１５に示されるように、本実施例のレベル検出回路１４５は、遅延回路（１画素分に相当する時間Ｄだけ遅延するラッチ、或いは、フリップフロップ）５１０、メインパス１１からの画像信号ｉ１を所定の階調（例えば、３２階調や１６階調といった動画疑似輪郭が大きく発生する階調）と比較する第１の階調比較回路５１１，５２１，５３１、メインパス１１からの１画素分遅延された画像信号ｉ２を所定の階調と比較する第２の階調比較回路５１２，５２２，５３２、ＥＯＲ回路５４１，５４２，５４３、所定の係数を乗算する乗算回路５５１，５５２，５５３、および、乗算回路５５１，５５２，５５３の出力信号を加算してレベル信号ＬＶを出力する加算回路５６０を備えている。
【００８８】
具体的に、例えば、出力がＥＯＲ回路５４１に供給される第１の階調比較回路５１１は、画像信号ｉ１と階調１６とを比較し、第２の階調比較回路５１２は、画像信号ｉ２と階調１６とを比較し、第１および第２の階調比較回路５１１，５１２の出力が一致しなければ、すなわち、その時の階調と１画素分前の階調とが大きな動画疑似輪郭が発生する階調１６を跨いで変化していれば、論理『１』の信号を出力し、例えば、乗算回路５５１で重み『３』が乗算されて加算回路５６０からはレベル信号ＬＶ＝３が出力される。このとき、スイッチ回路１３は、動画疑似輪郭が発生する場合のサブパス１２の出力を選択する。
【００８９】
一方、第１および第２の階調比較回路５１１，５１２の出力が一致していれば、ＥＯＲ回路５４１の出力は論理『０』となり、乗算回路５５１を介した出力も『０』となる。そして、他のＥＯＲ回路５５２，５５３，…の出力も全て『０』ならば、加算回路５６０の出力レベル信号ＬＶ＝０となって、動画疑似輪郭が生じないとしてスイッチ回路１３でメインパス１１の出力が選択されることになる。
【００９０】
また、例えば、出力がＥＯＲ回路５４２に供給される第１の階調比較回路５２１は、画像信号ｉ１と階調８とを比較し、第２の階調比較回路５２２は、画像信号ｉ２と階調８とを比較し、第１および第２の階調比較回路５２１，５２２の出力が一致しなければ、すなわち、その時の階調と１画素分前の階調とが階調８を跨いで変化していれば、論理『１』の信号を出力し、例えば、乗算回路５５２で重み『３』が乗算されて、加算回路５６０からはレベル信号ＬＶ＝３が出力される。一方、第１および第２の階調比較回路５２１，５２２の出力が一致していれば、ＥＯＲ回路５４２の出力は論理『０』となって他のＥＯＲ回路５５１，５５３，…の出力も全て『０』ならば、加算回路５６０からはレベル信号ＬＶ＝０が出力される。
【００９１】
以上において、各ＥＯＲ回路５４１，５４２，５４３，…に出力を供給する各第１および第２の階調比較回路５１１，５１２；５２１，５２２；５３１，５３２；…に設定される階調としては、前述した図７に示すレベルＬＶが３，２（或いは、１となる階調が設定され）、その設定された階調に対応して各乗算回路５５１，５５２，５５３，…で設定される係数も３，２（或いは、１）と設定される。
【００９２】
このように、本実施例によれば、レベル検出回路１４５として変換テーブルとしての大きなＲＡＭやＲＯＭを不要することができ、大きなコスト増を招くことなく、動画疑似輪郭を有効に除去することができる。
【００９３】
なお、本発明の適用はプラズマディスプレイ装置に限定されるものではなく、発光時間長によって輝度表現を行うと共にサブフィールド法を用いて階調表示を行い、動画疑似輪郭を低減するためにメインパスとサブパスを有するディスプレイ装置に対して適用することができる。
【００９４】
（付記１）  発光時間長によって輝度表現を行うと共に、サブフィールド法を用いて階調表示を行うディスプレイ装置であって、
入力画像信号よりも階調数が少ない第１の画像信号を生成するメインパスと、前記第１の画像信号よりも階調数が少ない第２の画像信号を生成するサブパスと、
前記メインパスで生成された第１の画像信号と前記サブパスで生成された第２の画像信号とを切り替えて出力するスイッチ回路と、
前記入力画像信号或いはそれを加工した信号から動き領域を検出する動き領域検出回路と、
前記動き領域検出回路の出力に従って第１の動き信号を出力する第１の判定回路と、
前記メインパスで特定の階調の画素を検出してレベル信号を出力するレベル検出回路と、
前記第１の動き信号および前記レベル信号を受け取って、該レベル信号に応じて第２の動き信号を出力する動き検出補正回路と、
前記第２の動き信号および前記レベル信号を受け取って、前記スイッチ回路に対して切り替え制御信号を出力する第２の判定回路とを備えることを特徴とするディスプレイ装置。
【００９５】
（付記２）  付記１に記載のディスプレイ装置において、前記動き検出補正回路は、前記レベル検出回路からの前記レベル信号が動画疑似輪郭の発生する階調を示すときは、前記第１の判定回路からの第１の動き信号をそのまま前記第２の判定回路に出力することを特徴とするディスプレイ装置。
【００９６】
（付記３）  付記２に記載のディスプレイ装置において、前記レベル検出回路は、動画疑似輪郭が発生しない階調ではレベル０の信号を出力し、動画疑似輪郭が発生する階調ではそれ以外のレベルの信号を出力することを特徴とするディスプレイ装置。
【００９７】
（付記４）  付記３に記載のディスプレイ装置において、前記レベル検出回路は、動画疑似輪郭が発生する階調では、その発生する動画疑似輪郭の大きさに応じてレベル１〜３の信号を出力することを特徴とするディスプレイ装置。
【００９８】
（付記５）  付記１に記載のディスプレイ装置において、さらに、前記入力画像信号或いはそれを加工した信号からエッジを検出するエッジ検出回路を備え、前記第１の判定回路は、前記動き領域検出回路の出力信号と共に該エッジ検出回路の出力信号も受け取って、前記動き信号を出力することを特徴とするディスプレイ装置。
【００９９】
（付記６）  付記１に記載のディスプレイ装置において、
前記画像信号は、赤色、青色および緑色のＲＧＢ信号であり、且つ、
前記メインパス、前記サブパス、前記スイッチ回路、前記動き領域検出回路、前記第１の判定回路、前記レベル検出回路、前記動き検出補正回路、および、前記第２の判定回路は、前記ＲＧＢ信号のそれぞれに対して設けられていることを特徴とするディスプレイ装置。
【０１００】
（付記７）  発光時間長によって輝度表現を行うと共に、サブフィールド法を用いて階調表示を行うディスプレイ装置であって、
入力画像信号よりも階調数が少ない第１の画像信号を生成するメインパスと、
前記第１の画像信号よりも階調数が少ない第２の画像信号を生成するサブパスと、
前記メインパスで生成された第１の画像信号と前記サブパスで生成された第２の画像信号とを切り替えて出力するスイッチ回路と、
前記入力画像信号或いはそれを加工した信号から動き領域を検出する動き領域検出回路と、
前記動き領域検出回路の出力に従って第１の動き信号を出力する第１の判定回路と、
前記メインパスで特定の階調の画素を検出してレベル信号を出力するレベル検出回路と、
前記第１の動き信号および前記レベル信号を受け取って、該レベル信号に応じて第２の動き信号を出力する第２の判定回路と、
前記第２の動き信号および前記レベル信号を受け取って、前記スイッチ回路に対して切り替え制御信号を出力するレベル優先回路とを備えることを特徴とするディスプレイ装置。
【０１０１】
（付記８）  付記７に記載のディスプレイ装置において、前記レベル優先回路は、前記レベル検出回路からの前記レベル信号が動画疑似輪郭の発生する階調を示すときは、前記第２の判定回路からの第２の動き信号をそのまま前記スイッチ回路に出力することを特徴とするディスプレイ装置。
【０１０２】
（付記９）  付記８に記載のディスプレイ装置において、前記レベル検出回路は、動画疑似輪郭が発生しない階調ではレベル０の信号を出力し、動画疑似輪郭が発生する階調ではそれ以外のレベルの信号を出力することを特徴とするディスプレイ装置。
【０１０３】
（付記１０）  付記９に記載のディスプレイ装置において、前記レベル検出回路は、動画疑似輪郭が発生する階調では、その発生する動画疑似輪郭の大きさに応じてレベル１〜３の信号を出力することを特徴とするディスプレイ装置。
【０１０４】
（付記１１）  付記７に記載のディスプレイ装置において、さらに、前記入力画像信号或いはそれを加工した信号からエッジを検出するエッジ検出回路を備え、前記第１の判定回路は、前記動き領域検出回路の出力信号と共に該エッジ検出回路の出力信号も受け取って、前記動き信号を出力することを特徴とするディスプレイ装置。
【０１０５】
（付記１２）  付記７に記載のディスプレイ装置において、
前記画像信号は、赤色、青色および緑色のＲＧＢ信号であり、且つ、
前記メインパス、前記サブパス、前記スイッチ回路、前記動き領域検出回路、前記第１の判定回路、前記レベル検出回路、前記第２の判定回路、および、前記レベル優先回路は、前記ＲＧＢ信号のそれぞれに対して設けられていることを特徴とするディスプレイ装置。
【０１０６】
（付記１３）  発光時間長によって輝度表現を行うと共に、サブフィールド法を用いて階調表示を行うディスプレイ装置であって、
入力画像信号よりも階調数が少ない第１の画像信号を生成するメインパスと、
前記第１の画像信号よりも階調数が少ない第２の画像信号を生成するサブパスと、
前記メインパスで生成された第１の画像信号と前記サブパスで生成された第２の画像信号とを切り替えて出力するスイッチ回路と、
前記入力画像信号或いはそれを加工した信号から動き領域を検出する動き領域検出回路と、
前記動き領域検出回路の出力に従って第１の動き信号を出力する第１の判定回路と、
前記メインパスで特定の階調の画素を検出して所定の演算を行い、レベル信号を出力するレベル検出回路と、
前記第１の動き信号および前記レベル信号を受け取って、前記スイッチ回路に対して切り替え制御信号を出力する第２の判定回路とを備えることを特徴とするディスプレイ装置。
【０１０７】
（付記１４）  付記１３に記載のディスプレイ装置において、前記レベル検出回路は、複数の動画疑似輪郭が発生する特定の階調に対して、前記メインパスからの前記第１の画像信号に該複数の特定の階調のいずれかを跨ぐ信号が含まれているかどうかを演算して前記レベル信号を出力することを特徴とするディスプレイ装置。
【０１０８】
（付記１５）  付記１４に記載のディスプレイ装置において、前記レベル検出回路は、
前記メインパスからの前記第１の画像信号を１画素分遅延する遅延回路と、
前記第１の画像信号と動画疑似輪郭が発生する特定の階調とを比較する第１の階調比較回路と、
前記遅延回路の出力信号と前記動画疑似輪郭が発生する特定の階調とを比較する第２の階調比較回路と、
前記第１の階調比較回路の出力と前記第２の階調比較回路の出力との排他的論理和をとるＥＯＲ回路と、
該ＥＯＲ回路の出力に所定の係数を乗算する乗算回路とを備えることを特徴とするディスプレイ装置。
【０１０９】
（付記１６）  付記１５に記載のディスプレイ装置において、前記第１の階調比較回路、前記第２の階調比較回路、前記ＥＯＲ回路、および、前記乗算回路は、前記複数の動画疑似輪郭が発生する特定の階調のそれぞれに対して設けられていることを特徴とするディスプレイ装置。
【０１１０】
（付記１７）  付記１６に記載のディスプレイ装置において、さらに、前記複数の動画疑似輪郭が発生する特定の階調に対応する前記複数の乗算回路の出力信号を加算して前記レベル信号として出力する加算回路を備えることを特徴とするディスプレイ装置。
【０１１１】
（付記１８）  付記１７に記載のディスプレイ装置において、前記レベル検出回路は、動画疑似輪郭が発生しない階調ではレベル０の信号を出力し、動画疑似輪郭が発生する階調では、当該動画疑似輪郭が発生する階調に対応する前記複数の乗算回路のいずれかで乗算される係数のレベル信号を出力することを特徴とするディスプレイ装置。
【０１１２】
（付記１９）  付記１８に記載のディスプレイ装置において、前記動画疑似輪郭が発生する階調に対応する前記複数の乗算回路で乗算される係数は、動画疑似輪郭が発生する大きさに応じて１〜３と設定されることを特徴とするディスプレイ装置。
【０１１３】
（付記２０）  付記１３に記載のディスプレイ装置において、さらに、前記入力画像信号或いはそれを加工した信号からエッジを検出するエッジ検出回路を備え、前記第１の判定回路は、前記動き領域検出回路の出力信号と共に該エッジ検出回路の出力信号も受け取って、前記動き信号を出力することを特徴とするディスプレイ装置。
【０１１４】
（付記２１）  付記１３に記載のディスプレイ装置において、
前記画像信号は、赤色、青色および緑色のＲＧＢ信号であり、且つ、
前記メインパス、前記サブパス、前記スイッチ回路、前記動き領域検出回路、前記第１の判定回路、前記レベル検出回路、および、前記第２の判定回路は、前記ＲＧＢ信号のそれぞれに対して設けられていることを特徴とするディスプレイ装置。
【０１１５】
（付記２２）  付記１〜２１のいずれか１項に記載のディスプレイ装置において、前記ディスプレイ装置は、プラズマディスプレイ装置であることを特徴とするディスプレイ装置。
【０１１６】
（付記２３）  入力画像信号よりも階調数が少ない第１の画像信号を生成するメインパスと、
前記第１の画像信号よりも階調数が少ない第２の画像信号を生成するサブパスと、
前記メインパスで生成された第１の画像信号と前記サブパスで生成された第２の画像信号とを切り替えて出力するスイッチ回路と、
前記入力画像信号或いはそれを加工した信号から画像の特徴を検出し、且つ、前記メインパスで特定の階調の画素を検出して前記スイッチ回路を制御する画像特徴判定部とを備え、発光時間長によって輝度表現を行うと共に、サブフィールド法を用いて階調表示を行うディスプレイの駆動方法であって、前記画像特徴判定部において、
前記入力画像信号或いはそれを加工した信号から動き領域を検出し、
該検出された動き領域に従って第１の動き信号を発生し、
前記メインパスで特定の階調の画素を検出してレベル信号を発生し、
該レベル信号に応じて前記第１の動き信号を補正して第２の動き信号を発生し、
該第２の動き信号および前記レベル信号に従って前記スイッチ回路を制御する切り替え制御信号を発生することを特徴とするディスプレイの駆動方法。
【０１１７】
（付記２４）  付記２３に記載のディスプレイの駆動方法において、前記第２の動き信号は、前記レベル信号が動画疑似輪郭の発生する階調を示すときは、前記第１の動き信号と実質的に同じ信号であることを特徴とするディスプレイの駆動方法。
【０１１８】
（付記２５）  付記２４に記載のディスプレイの駆動方法において、前記レベル信号は、動画疑似輪郭が発生しない階調ではレベル０の信号であり、動画疑似輪郭が発生する階調ではそれ以外のレベルの信号であることを特徴とするディスプレイの駆動方法。
【０１１９】
（付記２６）  付記２５に記載のディスプレイの駆動方法において、前記レベル信号は、動画疑似輪郭が発生する階調では、その発生する動画疑似輪郭の大きさに応じてレベル１〜３の信号であることを特徴とするディスプレイの駆動方法。
【０１２０】
（付記２７）  付記２３に記載のディスプレイの駆動方法において、さらに、前記第１の動き信号は、前記入力画像信号或いはそれを加工した信号から検出された前記動き領域と共に、該入力画像信号或いはそれを加工した信号から検出されたエッジに従って発生されることを特徴とするディスプレイの駆動方法。
【０１２１】
（付記２８）  付記２３に記載のディスプレイの駆動方法において、
前記画像信号は、赤色、青色および緑色のＲＧＢ信号であり、且つ、
前記メインパス、前記サブパス、前記スイッチ回路、および、前記画像特徴判定部は、前記ＲＧＢ信号のそれぞれに対して設けられていることを特徴とするディスプレイの駆動方法。
【０１２２】
（付記２９）  入力画像信号よりも階調数が少ない第１の画像信号を生成するメインパスと、
前記第１の画像信号よりも階調数が少ない第２の画像信号を生成するサブパスと、
前記メインパスで生成された第１の画像信号と前記サブパスで生成された第２の画像信号とを切り替えて出力するスイッチ回路と、
前記入力画像信号或いはそれを加工した信号から画像の特徴を検出し、且つ、前記メインパスで特定の階調の画素を検出して前記スイッチ回路を制御する画像特徴判定部とを備え、発光時間長によって輝度表現を行うと共に、サブフィールド法を用いて階調表示を行うディスプレイの駆動方法であって、前記画像特徴判定部において、
前記入力画像信号或いはそれを加工した信号から動き領域を検出し、
該検出された動き領域に従って第１の動き信号を発生し、
前記メインパスで特定の階調の画素を検出してレベル信号を発生し、
該レベル信号に応じて前記第１の動き信号から第２の動き信号を発生し、
該第２の動き信号および前記レベル信号に従って前記スイッチ回路を制御する切り替え制御信号を発生することを特徴とするディスプレイの駆動方法。
【０１２３】
（付記３０）  付記２９に記載のディスプレイの駆動方法において、前記切り替え制御信号は、前記レベル信号が動画疑似輪郭の発生する階調を示すときは、前記第２の動き信号と実質的に同じ信号であることを特徴とするディスプレイの駆動方法。
【０１２４】
（付記３１）  付記３０に記載のディスプレイの駆動方法において、前記レベル信号は、動画疑似輪郭が発生しない階調ではレベル０の信号であり、動画疑似輪郭が発生する階調ではそれ以外のレベルの信号であることを特徴とするディスプレイの駆動方法。
【０１２５】
（付記３２）  付記３１に記載のディスプレイの駆動方法において、前記レベル信号は、動画疑似輪郭が発生する階調では、その発生する動画疑似輪郭の大きさに応じてレベル１〜３の信号であることを特徴とするディスプレイの駆動方法。
【０１２６】
（付記３３）  付記２９に記載のディスプレイの駆動方法において、さらに、前記第１の動き信号は、前記入力画像信号或いはそれを加工した信号から検出された前記動き領域と共に、該入力画像信号或いはそれを加工した信号から検出されたエッジに従って発生されることを特徴とするディスプレイの駆動方法。
【０１２７】
（付記３４）  付記２９に記載のディスプレイの駆動方法において、
前記画像信号は、赤色、青色および緑色のＲＧＢ信号であり、且つ、
前記メインパス、前記サブパス、前記スイッチ回路、および、前記画像特徴判定部は、前記ＲＧＢ信号のそれぞれに対して設けられていることを特徴とするディスプレイの駆動方法。
【０１２８】
（付記３５）  入力画像信号よりも階調数が少ない第１の画像信号を生成するメインパスと、
前記第１の画像信号よりも階調数が少ない第２の画像信号を生成するサブパスと、
前記メインパスで生成された第１の画像信号と前記サブパスで生成された第２の画像信号とを切り替えて出力するスイッチ回路と、
前記入力画像信号或いはそれを加工した信号から画像の特徴を検出し、且つ、前記メインパスで特定の階調の画素を検出して前記スイッチ回路を制御する画像特徴判定部とを備え、発光時間長によって輝度表現を行うと共に、サブフィールド法を用いて階調表示を行うディスプレイの駆動方法であって、前記画像特徴判定部において、
前記入力画像信号或いはそれを加工した信号から動き領域を検出し、
該検出された動き領域に従って第１の動き信号を発生し、
前記メインパスで特定の階調の画素を検出して所定の演算を行い、レベル信号を発生し、
前記第１の動き信号および前記レベル信号に従って前記スイッチ回路を制御する切り替え制御信号を発生することを特徴とするディスプレイの駆動方法。
【０１２９】
（付記３６）  付記３５に記載のディスプレイの駆動方法において、前記レベル信号の発生は、複数の動画疑似輪郭が発生する特定の階調に対して、前記メインパスからの前記第１の画像信号に該複数の特定の階調のいずれかを跨ぐ信号が含まれているかどうかを演算して行うことを特徴とするディスプレイの駆動方法。
【０１３０】
（付記３７）  付記３６に記載のディスプレイの駆動方法において、前記レベル信号は、
前記メインパスからの前記第１の画像信号を１画素分遅延し、
前記第１の画像信号と動画疑似輪郭が発生する特定の階調とを比較して第１の階調比較信号を発生し、
前記遅延回路の出力信号と前記動画疑似輪郭が発生する特定の階調とを比較して第２の階調比較信号を発生し、
前記第１の階調比較信号と前記第２の階調比較信号との排他的論理和をとって所定の係数を乗算して発生することを特徴とするディスプレイの駆動方法。
【０１３１】
（付記３８）  付記３７に記載のディスプレイの駆動方法において、前記特定の階調との比較は、複数の動画疑似輪郭が発生する階調のそれぞれに対して行うことを特徴とするディスプレイの駆動方法。
【０１３２】
（付記３９）  付記３８に記載のディスプレイの駆動方法において、さらに、前記複数の動画疑似輪郭が発生する特定の階調に対応する演算結果を加算して前記レベル信号として出力することを特徴とするディスプレイの駆動方法。
【０１３３】
（付記４０）  付記３９に記載のディスプレイの駆動方法において、前記レベル検出回路における演算は、動画疑似輪郭が発生しない階調ではレベル０の信号が出力され、動画疑似輪郭が発生する階調では、当該動画疑似輪郭が発生する階調に対応する係数のレベル信号が出力されることを特徴とするディスプレイの駆動方法。
【０１３４】
（付記４１）  付記４０に記載のディスプレイの駆動方法において、前記動画疑似輪郭が発生する階調に対応して乗算される係数は、動画疑似輪郭が発生する大きさに応じて１〜３と設定されることを特徴とするディスプレイの駆動方法。
【０１３５】
（付記４２）  付記３５に記載のディスプレイの駆動方法において、さらに、前記第１の動き信号は、前記入力画像信号或いはそれを加工した信号から検出された前記動き領域と共に、該入力画像信号或いはそれを加工した信号から検出されたエッジに従って発生されることを特徴とするディスプレイの駆動方法。
【０１３６】
（付記４３）  付記３５に記載のディスプレイの駆動方法において、
前記画像信号は、赤色、青色および緑色のＲＧＢ信号であり、且つ、
前記メインパス、前記サブパス、前記スイッチ回路、および、前記画像特徴判定部は、前記ＲＧＢ信号のそれぞれに対して設けられていることを特徴とするディスプレイの駆動方法。
【０１３７】
（付記４４）  付記２３〜４３のいずれか１項に記載のディスプレイの駆動方法において、前記ディスプレイパネルは、プラズマディスプレイパネルであることを特徴とするディスプレイの駆動方法。
【０１３８】
【発明の効果】
以上、説明したように、本発明によれば、大きなコスト増を招くことなく、動画疑似輪郭を有効に除去することのできるディスプレイ装置およびディスプレイの駆動方法を提供することができる。
【図面の簡単な説明】
【図１】プラズマディスプレイ装置の一例を概略的に示すブロック図である。
【図２】従来のプラズマディスプレイ装置における階調駆動シーケンスの一例を示す図である。
【図３】従来のプラズマディスプレイ装置における画像処理回路の一例を示すブロック図である。
【図４】プラズマディスプレイ装置における階調駆動シーケンスの他の例を示す図である。
【図５】メインパスにおける各輝度レベルの点灯サブフィールド期間の配置の一例を示す図である。
【図６】サブパスにおける各輝度レベルの点灯サブフィールド期間の配置の一例を示す図である。
【図７】図３の画像処理回路におけるレベル検出回路の一例を説明するための図である。
【図８】図３の画像処理回路における画像特徴判定部の一例を示すブロック図である。
【図９】本発明に係るプラズマディスプレイ装置の画像処理回路の一実施例を示すブロック図である。
【図１０】図９の画像処理回路における動き検出補正回路の一例を概念的に示すブロック図である。
【図１１】図９の画像処理回路における動き検出補正回路の他の例を概念的に示すブロック図である。
【図１２】図１１の動き検出補正回路の動作を説明するための図である。
【図１３】本発明に係るプラズマディスプレイ装置の画像処理回路の他の実施例を示すブロック図である。
【図１４】図１３の画像処理回路におけるレベル優先回路の一例を概念的に示すブロック図である。
【図１５】本発明に係るプラズマディスプレイ装置における画像処理回路のさらに他の実施例としてのレベル検出回路を概略的に示すブロック図である。
【符号の説明】
１…画像処理回路
２…点灯時刻制御回路
３…ＰＤＰ駆動回路
４…ＰＤＰ（プラズマディスプレイパネル）
１１…メインパス
１２…サブパス
１３…スイッチ回路
１４…画像特徴判定部
３１…フィールドメモリ
３２…メモリコントローラ
３３…サブフィールド重みテーブル
３４…サステイン数設定回路
３５…コントローラ
３６…スキャンドライバ
３７…サステインドライバ
３８…アドレスドライバ
１１１…ゲイン制御回路
１１２，１２３…誤差拡散回路
１２１…歪み補正回路
１２２…ゲイン制御回路
１２４…データ整合回路
１４１…ＲＧＢマトリクス回路
１４２…エッジ検出回路
１４３…動き領域検出回路
１４４…第１の判定回路
１４５…レベル検出回路
１４６…第２の判定回路
１４７…動き検出補正回路
１４８…レベル優先回路
５１０…遅延回路
５１１，５２１，５３１…第１の階調比較回路
５１２，５２２，５３２…第２の階調比較回路
５４１，５４２，５４３…ＥＯＲ回路
５５１，５５２，５５３…乗算回路
５６０…加算回路
【図１】
2005024717.tif 000003
【図２】
2005024717.tif 000004
【図３】
2005024717.tif 000005
【図４】
2005024717.tif 000006
【図５】
2005024717.tif 000007
【図６】
2005024717.tif 000008
【図７】
2005024717.tif 000009
【図８】
2005024717.tif 000010
【図９】
2005024717.tif 000011
【図１０】
2005024717.tif 000012
【図１１】
2005024717.tif 000013
【図１２】
2005024717.tif 000014
【図１３】
2005024717.tif 000015
【図１４】
2005024717.tif 000016
【図１５】
2005024717.tif 000017